【手続補正書】
【提出日】平成21年1月20日(2009.1.20)
【手続補正１】
【補正対象書類名】特許請求の範囲
【補正対象項目名】全文
【補正方法】変更
【補正の内容】
【特許請求の範囲】
【請求項１】
複数ビットからなる第１のパラレルディジタル信号を送出する制御器と、
前記制御器から送出された第１のパラレルディジタル信号を時分割して第１のシリアル信号に変換する第１の変換器と、
前記制御器と前記第１の変換器とを収納する第１のケースと、
前記第１の変換器から前記第１のシリアル信号を受け、複数ビットからなる第２のパラレルディジタル信号に変換する第２の変換器と、
前記第２の変換器から第２のパラレルディジタル信号を受け、その第２のパラレルディジタル信号に基づいて高周波信号を作成する無線モジュールと、
前記無線モジュールで作成された高周波信号を送信するアンテナと、
前記第２の変換器と前記無線モジュールとを収納し、前記アンテナが搭載された第２のケースと、
前記第２のケースを回動可能なように前記第１のケースに結合するヒンジ部と、
前記ヒンジ部を通り、前記第１の変換器と前記第２の変換器との間で前記第１のシリアル信号を伝送する信号線と、
を備えた無線通信装置を有する情報処理装置。
【請求項２】
前記アンテナは高周波信号を受信し、前記無線モジュールは前記アンテナが受信した高周波信号に基づいて複数ビットからなる第３のパラレルディジタル信号を作成し、前記第２の変換器は前記無線モジュールで作成された前記第３のパラレルディジタル信号を時分割して第２のシリアル信号に変換し、前記第１の変換器は前記第２の変換器から第２のシリアル信号を受けてこれを複数ビットからなる第４のパラレルディジタル信号に変換し、前記制御器は前記第１の変換器から前記第４のパラレルディジタル信号を受けることを特徴とする請求項１に記載の無線通信装置を有する情報処理装置。
【手続補正２】
【補正対象書類名】明細書
【補正対象項目名】全文
【補正方法】変更
【補正の内容】
【発明の詳細な説明】
【発明の名称】無線通信装置を有する情報処理装置
【技術分野】
【０００１】
本発明は無線通信装置を有する情報処理装置に関する。
【背景技術】
【０００２】
携帯情報処理装置であるノートパソコンはその携帯性からインターネットなどネットワークに無線ＬＡＮにより接続される場合が多い。
【０００３】
図４は従来のノートパソコン１０１１、２０１１の外観図である。ホイップアンテナ１０１５はディジタル携帯電話の規格に使われている無線通信方式の垂直アンテナであり、これにより携帯電話向けに提供しているインタ−ネット接続サービスと同じサービスをノートパソコンで受けることができる。ノートパソコン１０１１、２０１１は表示部１０１３と本体１０１２とを備える。ヒンジ部１０１４は表示部１０１３を本体１０１２に対して回動可能に結合している。ノートパソコン１０１１、２０１１は、使用しない場合あるいは携帯する場合にはヒンジ部１０１４で折りたたむ。本体１０１２と表示部１０１３の間にはヒンジ部１０１４を通して信号ラインや電源ライン、かつア−スラインが設けられる。これらのラインとして、曲げに対して耐久性のある線材やフレキシブルワイヤが好適であり、太く、曲げに対して耐久性のない線材は適さない。
【０００４】
図５Ａはノートパソコン１０１１の概略図である。無線モジュール１０１６はアンテナ１０１５で受信した高周波信号を復調してディジタル信号を取り出し、また、ディジタル信号を携帯電話ネットワークの規格に合った高周波信号に変調してアンテナ１０１５から送出する。制御器１０１８は上記のディジタル信号を生成または処理し、無線モジュール１０１６の送受信の切り替え等のノートパソコン１０１１の動作を制御する。無線モジュール１０１６と制御器１０１８はノートパソコン１０１１の本体１０１２に配置されている。表示部１０１３に配置されたアンテナ１０１５は、ヒンジ部１０１４を通る同軸ケーブル１０３１によって無線モジュール１０１６に接続されている。同軸ケーブル１０３１はアンテナ１０１５が受信した微弱な高周波信号を無線モジュール１０１６に伝送し、また、無線モジュール１０１６で生成した高周波信号をアンテナ１０１５に伝送する。
【０００５】
同軸ケーブル１０３１は一般には銅の芯線と、芯線を囲む編組銅線と、芯線と編組銅線の間を絶縁するポリエチレンの絶縁部材と、編組銅線の外周を覆うビニール外被とからなる高帯域低損失のケーブルである。同軸ケーブル１０３１は一般の単線に比べて太くてかつ曲げに弱いので、ヒンジ部１０１４を通して引き回すのには適さない。同軸ケーブル１０３１は低損失ではあるがアンテナ１０１５と無線モジュール１０１６との間の距離が長くなれば損失が多くなり、かつ周囲の回路からノイズの影響を受けやすくなる。ヒンジ部１０１４は強度を確保するために金属よりなる場合がある。強度を確保するためにパソコン１０１１の筐体を金属で構成した場合には、長い同軸ケーブル１０３１により引き回された高周波信号により筐体の表面に渦電流が発生して損失を発生する。
【０００６】
図５Ｂは従来の他の例を示すノートパソコン２０１１の概略図である。図５Ａに示すパソコン１０１１と異なり、パソコン２０１１では無線モジュール２０１６が表示部１０１３に配置されている。無線モジュール２０１６と制御器１０１８との間には複数ビットのディジタル信号や制御信号を伝送するための複数の信号線２０３２が接続され、信号線２０３２はヒンジ部１０１４を通っている。ディジタル信号のビット数が多くなり信号線２０３２の数が多くなると、ヒンジ部１０１４に信号線２０３２を通すのが困難になる。また、信号線２０３２が束ねられて配置されるので、複数の信号線２０３２に伝送される信号が互いに干渉する。
【０００７】
図５Ｂに示すノートパソコン２０１１おいては、机上だけでなく膝の上で使用する場合でも人体に対して電磁波の影響を極力さけるために、アンテナ１０１５と高周波回路は表示部１０１３の上部に配置されている。人体に対する電磁波を発する機器に関しては人体に許容される電磁波の基準としてＳＡＲ（Ｓｐｅｃｉｆｉｃ  Ａｂｓｏｒｐｔｉｏｎ  Ｒａｔｅ）が定められている。
なお、特許文献１に、複数のセンサからの信号線の数を削減する技術が開示されているが、これはノートパソコンで無線方式でインターネットサービスを受けられるようにしたものとは異なる。
【特許文献１】特開平４−３４２０１０号公報
【発明の開示】
【発明が解決しようとする課題】
【０００８】
本発明は上記従来の問題点を解決するもので、ノートパソコンのヒンジ部に通す信号線の数が少なく、かつ、高周波信号を効率的にアンテナに伝送する無線通信装置を提供することを目的とする。
【課題を解決するための手段】
【０００９】
本発明は、複数ビットからなる第１のパラレルディジタル信号を送出する制御器と、前記制御器から送出された第１のパラレルディジタル信号を時分割して第１のシリアル信号に変換する第１の変換器と、前記制御器と前記第１の変換器とを収納する第１のケースと、前記第１の変換器から前記第１のシリアル信号を受け、複数ビットからなる第２のパラレルディジタル信号に変換する第２の変換器と、前記第２の変換器から第２のパラレルディジタル信号を受け、その第２のパラレルディジタル信号に基づいて高周波信号を作成する無線モジュールと、前記無線モジュールで作成された高周波信号を送信するアンテナと、
前記第２の変換器と前記無線モジュールとを収納し、前記アンテナが搭載された第２のケースと、前記第２のケースを回動可能なように前記第１のケースに結合するヒンジ部と、前記ヒンジ部を通り、前記第１の変換器と前記第２の変換器との間で前記第１のシリアル信号を伝送する信号線とを備えた無線通信装置を有する情報処理装置である。
【００１０】
また、上記において、アンテナは高周波信号を受信し、前記無線モジュールは前記アンテナが受信した高周波信号に基づいて複数ビットからなる第３のパラレルディジタル信号を作成し、前記第２の変換器は前記無線モジュールで作成された前記第３のパラレルディジタル信号を時分割して第２のシリアル信号に変換し、前記第１の変換器は前記第２の変換器から第２のシリアル信号を受けてこれを複数ビットからなる第４のパラレルディジタル信号に変換し、前記制御器は前記第１の変換器から前記第４のパラレルディジタル信号を受けることを特徴とする情報処理装置である。
【００１１】
これらの情報処理装置では、少ない損失で高周波信号をアンテナに伝送でき、また、アンテナで受信されたデータを効率よく得ることができる。
【発明の効果】
【００１２】
本発明は、ヒンジ部において少ない信号線で制御器が無線モジュールに接続され、かつ、高周波信号を効率よくアンテナに伝送することができる。
【００１３】
変換器がパラレルディジタル信号を時間分割してシリアル信号に変換することで、同期しない各信号が独立した複数のビットのパラレルディジタル信号間の干渉による不具合を解消できる。
【発明を実施するための最良の形態】
【００１４】
図１は本発明の実施の形態における情報処理装置であるノートパソコン１１１、２１１、３１１の外観図である。ノートパソコン１１１、２１１、３１１は、表示素子１３Ａを有する表示部１３と、本体１２とを備える。表示部１３と本体１２はケース５１３、５１２をそれぞれ有する。ホイップアンテナ１５はディジタル携帯電話の規格に使われている無線通信方式の垂直アンテナであり、これにより携帯電話向けに提供しているインタ−ネット接続サービスと同じサービスをノートパソコンで受けることができる。ヒンジ部１４は表示部１３を本体１２に対して回動可能に結合している。すなわち、ヒンジ部１４はケース５１３をケース５１２に対して回動可能に結合している。ノートパソコン１１１、２１１、３１１は、使用しない場合あるいは携帯する場合にはヒンジ部１４で折りたたまれ、ケース５１２とケース５１３とは重なる。
【００１５】
図２はノートパソコン１１１の概略図である。実施の形態による無線通信装置である無線モジュール１６は、アンテナ１５で受信した高周波信号を復調してディジタル信号を取り出し、また、ディジタル信号を携帯電話ネットワークの規格に合った高周波信号に変調してアンテナ１５に送出する。変換器１７はシリアル信号をパラレルディジタル信号に変換し、また、パラレルディジタル信号をシリアル信号に変換する。制御器１８は上記送出用のディジタル信号を生成して処理し、かつ、無線モジュール１６の送受信の切り替え等のパソコン１１１の動作を制御する。２本の信号線１９は２線式シリアルインタフェース規格であるＳＭＢｕｓ（Ｓｙｓｔｅｍ  Ｍａｎａｇｅｍｅｎｔ  Ｂｕｓ）の信号線である。
【００１６】
携帯電話ネットワークに高周波信号を送出する場合のノートパソコン１１１の動作を説明する。制御器１８は携帯電話ネットワークに送出するディジタルの信号と無線モジュール１６を制御するディジタルの制御信号を生成する。これらの信号は複数ビットからなり、同時に伝送される。変換器１８Ａはこれらの信号を時分割してＳＭＢｕｓ規格に沿ってシリアル信号に変換して信号線１９に送出する。そのシリアル信号はヒンジ部１４を通る２本の信号線１９を介して変換器１７で受信される。変換器１７はＧＰＩＯ（Ｇｅｎｅｒａｌ  Ｐｕｒｐｏｓｅ  Ｉ／Ｏ）であり、さまざまなカスタム接続を可能にするフレキシブルなパラレルインタフェースである。変換器１７に送られたシリアル信号はＭＳＢｕｓ規格に沿って元のパラレルディジタル信号に逆変換されて通信に必要なディジタルの信号と制御信号を得る。得られた制御信号により無線モジュール１６が制御され、無線モジュール１６は得られた通信信号を携帯電話ネットワーク規格の高周波信号に変換する。その高周波信号はアンテナ１５より電波として発射される。ケース５１３は無線モジュール１６と変換器１７と表示素子１３Ａを収納し、アンテナ１５が搭載される。ケース５１２は制御器１８と変換器１８Ａを収納している。
【００１７】
携帯電話ネットワークから高周波信号を受信する場合のノートパソコン１１１の動作を説明する。高周波信号はアンテナ１５で受信され、無線モジュール１６で複数ビットを有するパラレルディジタル信号に変換される。変換器１７はそのパラレルディジタル信号をＳＭＢｕｓ規格のシリアル信号に変換して信号線１９を介して制御器１８の変換器１８Ａに送出する。変換器１８Ａはシリアル信号を複数ビットのパラレルディジタル信号に変換する。制御器１８はそのパラレルディジタル信号に基づきノートパソコン１１１の動作を制御する。
【００１８】
本実施の形態によるノートパソコン１１１ではヒンジ部１４において少ない信号線１９で制御器１８が無線モジュール１６に接続され、且つ高周波信号を効率的にアンテナ１５に伝送できる。
【００１９】
変換器１７、１８Ａがパラレルディジタル信号を時間分割してシリアル信号に変換することで、同期しない各信号が独立した複数のビットのパラレルディジタル信号間の干渉による不具合を解消できる。
【００２０】
制御器１８において生成した携帯電話ネットワークサービスを受けるために必要なディジタル信号や無線モジュール１６を制御する制御信号を時間分割してＳＭＢｕｓ規格に沿ってシリアル信号に変換し送信する。制御器１８が変換器１８Ａを構成するＧＰＩＯの集積回路を含んでもよい。また、変換器１８Ａの機能をマイコンのファームウエアにより制御器１８にもたせてもよい。
【００２１】
変換器１７、１８Ａ間のシリアル信号の通信はＳＭＢｕｓ規格に限る必要はない。信号線１９として、一般に使用されるクロックと送信データと受信データをそれぞれ伝送する３つの信号線を用いた全二重シリアル通信等の他のシリアル通信方式により変換器１７、１８Ａ間でデータを送受信しても良い。
【００２２】
同期しない互いに独立した複数のビットのパラレルディジタル信号を時間分割して、パラレルディジタル信号のビット数より少ないヒンジ部１４を通る信号線で制御器１８と無線モジュール１６との間、すなわち本体１２と表示部１３でデータを送受信することにより実施の形態と同じ効果が得られる。また、ノートパソコン１１１、２１１、３１１は表示部１３と本体１２とを備えているが、表示部１３と本体１２の機能は上記で説明したものに限らない。パラレルディジタル信号をそれぞれ扱う２つの部分をヒンジ部１４で互いに回動するように結合し、パラレルディジタル信号を変換器１７、１８Ａでシリアル信号に変換し、ヒンジ部１４を通る信号線１９でシリアル信号を伝送することにより実施の形態のパソコンと同じ効果が得られる。
【００２３】
図３Ａは実施の形態による他の情報処理装置であるノートパソコン２１１の概略図である。液晶パネル等の表示素子１３Ａを駆動する液晶ドライバ２０を制御する信号をシリアル信号として信号線１９で伝送することでヒンジ部１４を通る信号線はさらに少なくなり、また同期しないパラレルディジタル信号より信号線間の干渉が少なくなる。そのシリアル信号を特に表示素子１３Ａに表示する映像信号の同期信号に同期させることにより、表示素子１３Ａの画面のノイズが軽減される。
【００２４】
図３Ｂは実施の形態によるさらに他の情報処理装置であるノートパソコン３１１の概略図である。パソコン３１１が上記のものと異なる点は、変換器１７、１８Ａ間で伝送された信号を記憶するデータメモリ２１をさらに備えことである。信号線１９で伝送されるシリアル信号が多くのデータを含む場合、またはシリアル信号に高速で処理しなければならない信号を含む場合には、変換器１７、１８Ａ間で伝送されてデータメモリ２１に記憶されたデータのうち、多くのデータの中で先に処理すべきデータ、高速で処理を要するデータを先に処理してもよい。そして、後で処理してもよいデータは空き時間で処理することでより多くのデータを処理でき、ヒンジ部１４を通過する信号線をより少なくすることができる。
【００２５】
実施の形態による情報処理装置であるノートパソコン１１１、２１１、３１１ではヒンジ部１４を通る少ない信号線１９で表示部１３と本体１２を接続でき、且つ高周波信号を効率的にアンテナ１５に伝送できる。
【産業上の利用可能性】
【００２６】
本発明にかかる無線通信装置を有する情報処理装置は、ノートパソコンのヒンジ部において少ない信号線で制御器が無線モジュールに接続され、且つ高周波信号を効率的にアンテナに伝送できる。また、変換器がパラレルディジタル信号を時間分割してシリアル信号に変換することで、同期しない各信号が独立した複数のビットのパラレルディジタル信号間の干渉による不具合を解消できるという効果を有し、無線通信装置を有する情報処理装置として有用である。
【図面の簡単な説明】
【００２７】
【図１】本発明の実施の形態における情報処理装置の外観図
【図２】実施の形態における情報処理装置の概略図
【図３Ａ】実施の形態における他の情報処理装置の概略図
【図３Ｂ】実施の形態におけるさらに他の情報処理装置の概略図
【図４】従来の情報処理装置の外観図
【図５Ａ】従来の情報処理装置の概略図
【図５Ｂ】他の従来の情報処理装置の概略図
【符号の説明】
【００２８】
１２、１０１２  本体
１３、１０１３  表示部
１４、１０１４  ヒンジ部
１５、１０１５  ホイップアンテナ
１６、１０１６  無線モジュール
１７  変換器
１８、１０１８  制御器
１８Ａ  変換器
１９  信号線
２０  液晶ドライバ
２１  データメモリ
１１１、２１１、３１１、１０１１，２０１１  ノートパソコン
５１３、５１２  ケース
１０３１  同軸ケーブル
２０３２  信号線